Podtech/llm-jp-corpus-v4-ja_patent huggingface dataset:
(57)【要約】【課題】  凸条部と凹条部が順次繰り返す屋根構造、特に折板屋根構造においても、当該凸条部の少なくとも斜め表面形状に沿って断熱構造をとることができ、しかも取り付けが簡単である折板屋根を提供するころにある。【解決手段】凸条部と凹条部が順次繰り返す断面凸凹状の折板屋根の屋根構造において、  当該凸条部の外部表面側の少なくとも一面に当該表面形状に沿って集合する屋根用のコケ緑化資材を複数個取り付け、  上記コケ緑化資材が、取り付け側から断面が多孔層と不織布層とコケマット層を備えている折板屋根構造物。【選択図】図３
2009127393.tif 000002
【特許請求の範囲】
【請求項１】
凸条部と凹条部が順次繰り返す断面凸凹状の折板屋根の屋根構造において、
当該凸条部の外部表面側の少なくとも一面に当該表面形状に沿って集合する屋根用のコケ緑化資材を複数個取り付け、
上記コケ緑化資材が、取り付け側から断面が多孔層と不織布層とコケマット層を備えている折板屋根構造物。
【請求項２】
請求項１の折板屋根構造であって、断面が多孔層と不織布層とコケマット層を備えている折板屋根構造用のコケ緑化資材。
【請求項３】
請求項１の折板屋根構造であって、断面多孔層が上面と正面と背面と底面と左右両側面からなる請求項２記載の折板屋根構造用のコケ緑化資材。
【請求項４】
請求項１の折板屋根構造であって、断面多孔層がパンチングメタルからなる請求項３記載の折板屋根構造用のコケ緑化資材。
【請求項５】
請求項１の折板屋根構造であって、断面多孔層が合成樹脂からなる請求項３記載の折板屋根構造用のコケ緑化資材。
【請求項６】
請求項１の折板屋根構造であって、コケマット層がラッセル織りからなるマットとこのマットに充填されたコケからなる請求項２記載の折板屋根構造用のコケ緑化資材。
【発明の詳細な説明】
【技術分野】
【０００１】
本発明は、折板屋根用コケ緑化資材に関する。
【背景技術】
【０００２】
従来より、例えばコンビニエンスストアや工場の屋根に折板屋根が提供されている（特許文献１、特許文献２）。
【０００３】
【特許文献１】実用新案登録第３０８８８７２号公報
【特許文献２】実開平４−６６２２８号公報
【０００４】
しかし折板屋根は、外部に露出しかつ簡単な構造で構成されているため、外部環境の温度に影響されやすい。たとえば夏場では切版屋根の外部表面温度が７０〜８０℃となる。
このため室内では内部空気温度が２５〜２８℃となるようにしなければならず、空調の使用量は大幅に増大する。
【０００５】
特に、折板屋根はフラットな構造ではなく、凸条部と凹条部が順次繰り返す断面凸凹状の形状であるため、内部に断熱構造はとることは可能であるが、当該凸条部の少なくとも斜め表面形状に沿った断熱構造はとりにくい。
【発明の開示】
【発明が解決しようとする課題】
【０００６】
本発明の課題は、凸条部と凹条部が順次繰り返す屋根構造、特に折板屋根構造においても、当該凸条部の少なくとも斜め表面形状に沿って断熱構造をとることができ、しかも取り付けが簡単である切版屋根を提供するころにある。
【課題を解決するための手段】
【０００７】
上記課題を解決するため鋭意検討した結果、
本発明は、凸条部と凹条部が順次繰り返す断面凸凹状の折板屋根の屋根構造において、
当該凸条部の外部表面側の少なくとも一面に当該表面形状に沿って集合する屋根用のコケ緑化資材を複数個取り付け、
上記コケ緑化資材が、取り付け側から断面が多孔層と不織布層とコケマット層を備えている折板屋根構造物である。
請求項１の折板屋根構造であって、断面が多孔層と不織布層とコケマット層を備えている折板屋根構造用のコケ緑化資材である。
請求項１の折板屋根構造であって、断面多孔層が上面と正面と背面と底面と左右両側面からなる請求項２記載の折板屋根構造用のコケ緑化資材である。
請求項１の折板屋根構造であって、断面多孔層がパンチングメタルからなる請求項３記載の折板屋根構造用のコケ緑化資材である。
請求項１の折板屋根構造であって、断面多孔層が合成樹脂からなる請求項３記載の折板屋根構造用のコケ緑化資材である。
請求項１の折板屋根構造であって、コケマット層がラッセル織りからなるマットとこのマットに充填されたコケからなる請求項２記載の折板屋根構造用のコケ緑化資材である。
【発明の効果】
【０００８】
これにより、本発明は、凸条部と凹条部が順次繰り返す折板屋根構造においても、当該凸条部の少なくとも斜め表面形状に沿って断熱構造をとることができ、しかも取り付けが簡単である。さらにコケ層を設けると、コケ層を設けないものと比べて、約５℃前後下がるため好ましい。
【発明を実施するための最良の形態】
【０００９】
図１Ａは本発明で用いられる折板（切版）屋根の一実施態様である折板屋根構造用コケ緑化資材の多孔層の上面図である。図１Ｂは折板屋根構造用コケ緑化資材の多孔層の正面図ある。
図１Ｃは折板屋根構造用コケ緑化資材の多孔層の底面図である。図１Ｄは折板屋根構造用コケ緑化資材の多孔層の左側面図である。図２は折板屋根構造用コケ緑化資材の断面を示す模式図である。図３は折板面に折板屋根構造用コケ緑化資材を接着させた模式図である。
【００１０】
コケとしては人工コケからなり、人工コケはその配偶体の周囲に再生芽が繁殖したコケ、特にスナコケからなることが望ましい。
【産業上の利用可能性】
【００１１】
本発明は折板屋根構造に用いられる。
【図面の簡単な説明】
【００１２】
【図１Ａ】折板屋根構造用コケ緑化資材の多孔層の上面図である。
【図１Ｂ】折板屋根構造用コケ緑化資材の多孔層の正面図ある。
【図１Ｃ】折板屋根構造用コケ緑化資材の多孔層の底面図である。
【図１Ｄ】折板屋根構造用コケ緑化資材の多孔層の左側面図である。
【図２】折板屋根構造用コケ緑化資材の断面を示す模式図である。
【図３】折板面に折板屋根構造用コケ緑化資材を接着させた模式図である。
【符号の説明】
【００１３】
１      コケマット層
２      不織布層
３      多孔層（パンチングメタル又は合成樹脂）
４      マグネット
５      折板面
【図１Ａ】
2009127393.tif 000003
【図１Ｂ】
2009127393.tif 000004
【図１Ｃ】
2009127393.tif 000005
【図１Ｄ】
2009127393.tif 000006
【図２】
2009127393.tif 000007
【図３】
2009127393.tif 000008
(57)【要約】【課題】  従来のパジャマは上衣を下衣に入れると見栄えが悪い。【解決手段】  従来のパジャマ上衣の内側にもう一枚布を縫いつけ、その布をパジャマ下衣の中に入れるようにし、腹・腰を冷えないようにすると同時に、体裁を見栄え良くするものとする。【選択図】図１
2009127181.tif 000002
【特許請求の範囲】
【請求項１】
パジャマ上衣の内側にもう一枚布を縫いつけ、その布をパジャマ下衣の中に入れるようにし、腹・腰を冷えないようにすると同時に、体裁を見栄え良く改善するものとする。
【発明の詳細な説明】
【技術分野】
【０００１】本考案は従来のパジャマ上衣の内側にもう一枚布を縫いつけ、その布をパジャマ下衣の中に入れるようにし、腹・腰を冷えないようにすると同時に、体裁を見栄え良くするものとする。
【背景技術】
【０００２】従来のパジャマ上衣の内側にもう一枚布を縫いつける。
【発明の開示】
【発明が解決しようとする課題】
【０００３】腹・腰を冷えないようにすると同時に、体裁を見栄え良くするものとする。
【課題を解決するための手段】
【０００４】布をもう一枚縫いつけることで腹・腰を冷えないようにすると同時に、体裁を見栄え良くする。
【発明の効果】
【０００５】腹・腰を冷えないようにする【０００６】体裁を見栄え良くする
【発明を実施するための最良の形態】
【実施例】  従来のパジャマ上衣の内側にもう一枚布を縫いつけ、その布をパジャマ下衣の中に入れるようにし、腹・腰を冷えないようにすると同時に、体裁を見栄え良くするものとする。
【産業上の利用可能性】
【図面の簡単な説明】
【図１】パジャマの図である。
【図２】内側に縫いつけた布の図である。
【符号の説明】
▲１▼  パジャマ
▲２▼  内側の布
【図１】
2009127181.tif 000003
【手続補正書】
【提出日】平成20年10月9日(2008.10.9)
【手続補正１】
【補正対象書類名】明細書
【補正対象項目名】全文
【補正方法】変更
【補正の内容】
【発明の詳細な説明】
【技術分野】
【０００１】  本発明は従来のパジャマ上衣の内側にもう一枚布を縫いつけ、その布をパジャマ下衣の中に入れるようにし、腹・腰を冷えないようにすると同時に、体裁を見栄え良くするものとする。
【背景技術】
【０００２】  従来のパジャマ上衣の内側にもう一枚布を縫いつける。
【発明の開示】
【発明が解決しようとする課題】
【０００３】  腹・腰を冷えないようにすると同時に、体裁を見栄え良くするものとする。
【課題を解決するための手段】
【０００４】  布をもう一枚縫いつけることで腹・腰を冷えないようにすると同時に、体裁を見栄え良くする。
【発明の効果】
【０００５】  腹・腰を冷えないようにする【０００６】  体裁を見栄え良くする
【実施例】
【０００７】  従来のパジャマ上衣の内側にもう一枚布を縫いつけ、その布をパジャマ下衣の中に入れるようにし、腹・腰を冷えないようにすると同時に、体裁を見栄え良くするものとする。
【図面の簡単な説明】
【０００８】
【図１】  パジャマ及び内側に縫いつけた布の図である。
【符号の説明】
１  パジャマ
２  内側の布
(57)【要約】      （修正有）【課題】綿１００％のサロンエプロンの裏側に綿１００％の厚手のタオル地を付けたタオル付サロンエプロンを提供する。【解決手段】サロンエプロン１の裏側に厚手のタオル２を縫い付けたことを特徴とする、タオル付きサロンエプロン。【選択図】図２
2009127182.tif 000002
【特許請求の範囲】
【請求項１】
サロンエプロン（１）の裏側に厚手のタオル（２）を縫い付けたことを特徴とする、タオル付きサロンエプロン。
【発明の詳細な説明】
【技術分野】
【０００１】  本発明は、綿１００％のサロンエプロンの裏側に綿１００％の厚手のタオル地を付けたタオル付サロンエプロンに関するものである。
【背景技術】
【０００２】  従来、サロンエプロンにはタオル地は付いていなかった。
エプロン本体を手ふき兼用とするために吸水性のよいタオルを用いたもので、エプロン本体にタオルを用いることにより手ふきと兼用にできるエプロンである（実用新案公開平５−３５８１０）。
介護老人等の被介護者の食事において、口腔から流下した汁等の液体がエプロンの隙間を通って体内に流下することを完全に防ぐための中エプロンで、吸水性のよいタオル地等の中エプロン本体を二重にしたものである（登録実用新案第３１０３１７３号）。
【特許文献１】  実用新案公開平５−３５８１０号公報
【特許文献２】  登録実用新案第３１０３１７３号公報
【発明の開示】
【発明が解決しようとする課題】
【０００３】  これは、次のような欠点があった。
従来、サロンエプロンを水仕事に使用する際、濡れた手を拭うのに、タオルのあるところまで行って使用しなければならなかった。
本発明は、以上のような不便を解消するものである。
【課題を解決するための手段】
【０００４】  サロンエプロン（１）の裏側に厚手のタオル（２）を縫い付けたことを特徴とする、タオル付きサロンエプロン。
本発明は、以上の構成よりなるタオル付きサロンエプロンである。
【発明の効果】
【０００５】  タオルがエプロンと一体となっているため、タオルを探す手間が省けるし、エプロンが下の衣類を濡らすことを防ぎ、タオルの水が滴るのも防げる。
さらに、広いタオル面のため、厚手のタオル地なので、熱いものも、タオル面で持つことができる。
なお、水仕事のみならず、介護される人、高齢者の方などにも、ナフキン付エプロンとなり、冬場には膝の防寒としても役立つ。
名付けて、「セレブエプロン」と、ネーミングを付けたいところである。
【発明を実施するための最良の形態】
【０００６】  以下、本発明を実施するための最良の形態について説明する。
サロンエプロン（１）の裏側のベルトの部分に厚手のタオル（２）のようにタオル地を付けて一体とする。
本発明は、以上のような構造である。
これを使用するとき、濡れた手など拭うとき、エプロン（１）の下にギャザーを付けているため、すぐタオルに届き、熱いものを持つときもたっぷりと広い厚手のタオル（２）なので、すぐに目的を達することができる。
なお、タオルと一体となっているということは、厚手のタオル（２）があるため、サロンエプロン（１）の下の衣服を濡らすことがなく、タオルだけのエプロンと違って、タオルがサロンエプロン（１）の下なので、タオル自身が濡れにくく、常にタオルとしてきちっと機能することができるのも利点である。
【図面の簡単な説明】
【０００７】
【図１】  本発明の表面図である。
【図２】  本発明の裏面図である。
【符号の説明】
【０００８】  １  サロンエプロン
２  厚手のタオル
【図１】
2009127182.tif 000003
【図２】
2009127182.tif 000004
(57)【要約】【課題】精製で石油等を使わず、防寒、放熱、吸着でき洗剤無しで洗える繊維が欲しい。【解決手段】  天然植物繊維からル−ケン繊維生成に成功。従来の繊維ではできなかった軽量さで防寒服、放熱服、吸着、楽々洗濯でき宇宙服にも応用できる。【選択図】図１
2009127180.tif 000002
【特許請求の範囲】
【請求項１】
衣を半分に折畳むことによりバッグに変える発明。
【請求項２】
請求項１の衣の袖が邪魔になるので、袖が外から畳まれた服を固定。
【請求項３】
請求項２の両袖を下に各々つなげるとリュックサックにもなる。
【請求項４】
請求項１で横を閉めるため吸着しやすいル−ケン繊維の発明。
【請求項５】
請求項４のル−ケン繊維を衣服に付けても良い。
【請求項６】
ル−ケン繊維は一方から熱を吸収し反対へ放出するので、冬暖服、反対にして夏涼服としても利用できる。洗剤無しでも汚れが落ちる。
【発明の詳細な説明】
【技術分野】
【０００１】  本発明は、コ−トやジャケツ着衣時に暑くなった時、脱衣してバッグに変わったり、洗剤無しで洗濯でき、吸熱・放熱もできる新繊維と服の発明に関する。
【背景技術】
【０００２】  繊維の歴史は４万年前からと推定され、１万年前スイスでは家畜の羊から糸が紡がれ、ＢＣ６０００年以前のエジプト・ペル−の遺跡でも織物があり、綿はＢＣ５０００年インドで発明され、絹はＢＣ２０００年中国で発明されたと推定される。やがて化学繊維の原形が中世ドイツで起こり１８８４年フランスで人工的にレ−ヨンが発明され、１９３８年アメリカでナイロンが発明されビニロン、アクリル、ポリエステル等続々と合成繊維が発明された。繊維は天然繊維と化学繊維に大別でき、天然繊維は植物・動物・鉱物に分別できる。
従来の服は防寒が主だったが、気候変動の激しい現代では冬でも日中や建物内は暖かいため、上着を脱衣すると、邪魔になったり忘れたり、店内では誤解れたりと困っていた。しかし、寒くなった時に無いと困るので、旅行等では現地気温を調べて持ち運ばなければならないと不便だった。また、帰りに荷物があったりするとバッグが無いと不便だった。手を自由にしたかったし洗濯にも費用や時間がかかった。化学繊維は石油を要した。
【発明の開示】
【発明が解決しようとする課題】
【０００３】  本発明は、以上の従来の問題を解決でき、服を手に持ったり置き忘れたりすることなく天気に無関係に着衣外出しても、暑い時は脱衣してバッグやリュックになり、バッグとして持ち、寒くなった時にコ−ト、ジャケツ等に変わるので便利。また従来は洗濯で洗剤を要し、すすぎや乾燥にも水道光熱費や時間がかかったが、本品は洗剤無しで洗濯でき乾燥しやすいので、従来の半分以下に節約できる。【０００４】  そして本発明は上記目的を達成するためにル−ケンという特殊繊維を発明した。この繊維は摩擦で静電気を発生しやすいが、それを逆に利用し摩擦で繊維同士を付ける。はがす時は簡単で軽く離せばいい。原料は植物繊維の茎であり、稲刈後の茎が余って燃やされるのが、環境的にも良くないことから発明され、麦やトウモロコシ、ススキ等、ほとんどの草木の茎から可能で乾燥繊維組成はセルロ−ス６５％、ペクチン２２％その他で、微生物に侵されにくいため汚れ除去は容易、柔軟性で吸湿・放湿性もある。従来は化学繊維が主で石油を化学反応させ精製していたため、外国から石油を大量輸入しなければならず、環境的にもマイナスであった。
【課題を解決するための手段】
【０００５】  本発明は、植物の素晴らしさと、自然と人間との共存という原点に帰り、天然植物繊維を乾燥させ、その偉大さを利用した産物でもありセルロ−スを分析するとＣ６Ｈ１０Ｏ５という分子式になりエステル化すると［化１］Ｒ−ＯＨ＋ＨＮＯ３→Ｒ−Ｏ−ＮＯ２＋Ｈ２Ｏとなり加水分解しやすい。加水分解後、紫外線にあてると今までにない美しい繊維の原形が発見されこれをル−ケンと名付けた。この繊維をそのまま利用しても良いし、衣服に付けても良い。吸引し４０ｋｇ迄の力に耐えられる、剥す時は端から裂けば簡単に外せる。
【発明の課題】
【０００６】  以下、本発明を図で説明する。
【０００７】  図１に於てコ−ト等を腹から半分に折、袖を外から回しバッグに変わる。コ−トに戻したい時は端から裂くようにすれば簡単に戻せる。
【０００８】  図２に於て袖を下につなげるとリュックにもなる。
【０００９】  図３に於てイネ科植物に多い茎に含まれるセルロ−スは反応基に−ＯＨ基を持ち図の式で表される。さらに加水分解していくと、特殊な成分になり、これをル−ケンとし、強度や弾性が増し、熱を一方から反対に流す性質が増す。よって軽量防寒服ができ、重ね合わせると軽量防弾服も可能になる。また熱を吸出する性質を反対にすると体温を外に出し、夏期は涼しい服もできる。
【００１０】  熱を流す性質や、繊維に凹凸が少ないことから洗剤無しでも汚れは落ち、すすぎのみで落ちるので水道光熱費は半減でき乾燥もしやすいので旅行にも便利。
【発明の効果】
【００１１】  本発明は、石油を使わず天然繊維から強度・弾性・伸縮・熱流のある繊維が容易に精製でき、環境的製法で服のみでなく多岐に貢献できる。限りのある石油に代わる繊維として、脱穀後の茎が燃やされず有効利用でき環境保護になる。服として利用されれば軽量で袋に変化できるので悩まされることなく、環境に良く、宇宙服にも利用されるだろう。
【図面の簡単な説明】
【図１】本発明をコ−トに当てはめバッグに変わる図。
【図２】本発明のコ−トがリュックに変わる図。
【図３】茎からル−ケン繊維が得られる説明。
【図１】
2009127180.tif 000003
【図２】
2009127180.tif 000004
【図３】
2009127180.tif 000005
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
衣を半分に折畳み、袖を外から畳み固定し、横を閉めるため吸着しやすいル−ケン繊維を発明しバッグに変えられる新繊維。
【請求項２】
請求項１記載の両袖を下に各々つなげるとリュックサックにもなる新繊維。
【請求項３】
請求項１記載の新繊維を衣服に付けて効果を出す方法。
【請求項４】
本繊維は一方から熱を吸収し反対へ放出するので冬暖服、反対にして夏涼服としても利用でき、洗剤無しでも汚れが落ちる請求項１記載の新繊維。
(57)【要約】【課題】  ブラジャー着用の際の胸の圧迫を和らげるブラジャークリップを提供する。【解決手段】  クリップの表側にアクセサリーを設け、裏側にスポンジを設けたことを特徴とするブラジャークリップ。【選択図】図１
2009127178.tif 000002
【特許請求の範囲】
【請求項１】
クリップの表側にアクセサリーを設け、裏側にスポンジを設けたことを特徴とするブラジャークリップ。
【発明の詳細な説明】
【技術分野】
【０００１】  本発明は、ブラジャーを着用した際、ブラジャーからかかる胸の圧迫を和らげるための、ブラジャークリップに関するものである。
【背景技術】
【０００２】  従来は、ブラジャーの圧迫を和らげる為、スポンジをブラジャーと胸の間に挟めるだけのものだった。
【発明の開示】
【発明が解決しようとする課題】
【０００３】  そのために次のような問題点があった。
ブラジャーの取り外しの際にスポンジが固定されていないので、無くし易かったり、見た目もオシャレでは無くファッション性が乏しかった。
本発明は、以上の問題点を解決するためになされたものである。
【課題を解決するための手段】
【０００４】  クリップの表側にアクセサリーを設け、裏側にスポンジを設け、ブラジャーの中央部分にクリップを挟み固定する。以上を特徴とするブラジャークリップである。
【発明の効果】
【０００５】  ブラジャー着用の際の胸の圧迫を和らげ、ブラジャーへの取り付けが簡単に固定されるので、無くし難くアクセサリーが付属されているので、見た目も華やかに、オシャレになる。
【発明を実施するための最良の形態】
【０００６】以下、本発明の実施の形態について説明する。
（イ）クリップ（１）の表側にアクセサリー（２）を設ける。
（ロ）クリップ（１）の裏側にスポンジ（３）を設ける。
本発明は以上のような構造で、これを使用するときは、ブラジャー（４）の中央部分（５）に、クリップ（１）を挟み固定する。
ブラジャー（４）を着用すると、クリップ（１）に設けたスポンジ（３）が胸（６）とブラジャー（１）の間に挟まり固定される事で、ブラジャー（４）による胸の締め付けや圧迫が和らげられる。
又、ブラジャー（４）のアクセントとしてクリップ（１）に設けた、アクセサリー（２）がブラジャーを華やかにオシャレに見せます。
【図面の簡単な説明】
【０００７】
【図１】本発明の表側の斜視図
【図２】本発明の裏側の斜視図
【図３】本発明の使用状態を示す斜視図
【符号の説明】
【０００８】      １  クリップ
２  アクセサリー
３  スポンジ
４  ブラジャー
５  中央部分
６  胸
【図１】
2009127178.tif 000003
【図２】
2009127178.tif 000004
【図３】
2009127178.tif 000005
(57)【要約】【課題】  乾燥型粉末パテ材については、水分の乾燥によって硬化する性質のパテ材で乾燥が遅く水に溶解しやすい等問題があった。これは、水性樹脂と保水剤の影響がでているためである。又、硬化型粉末パテに於いては、硬化促進剤等の混合する場合は、早く硬化しやすく可使時間がとしにくい問題があった。【解決手段】  混合でなく、塗り材の下地に塗布（下塗り用固着促進シ−ラ−）して置くことによって塗り材中の成分と化学反応させて、硬化促進や耐水性向上等の品質改善を可能にする方法である。【特許請求の範囲】
【請求項１】
パテ材、塗料、左官等の施工時に、本発明の下塗り用固着促進シ−ラ−を下地に塗布乾燥後、その上に塗布する塗り材の品質を（乾燥、耐水性等）改善をできる、下塗り用固着促進シ−ラ−の製造方法。
【発明の詳細な説明】
【技術分野】
【０００１】  本発明は、粉末パテ（合成樹脂入り）を水と混練りしたペ−スト状のパテを、本発明した下塗り用固着促進シ−ラ−塗布後の上に塗布すると、短時間で固着開始し、又ＪＩＳＫ５６６９の耐水型に合格性能に改善できる、接着剤に於いてもエマルジヨン型、水溶性タイプの種類いよつて、同様の品質改善ができる発明です。パテ作業、接着施工の正確性と、施工時間の短縮につながり、施工分野に広く利用できる技術を寄与するものである。
【背景技術】
【０００２】  従来の特に乾燥型粉末パテは、作業性を保持するため保水剤の含有が欠かせないため、合成樹脂エマルジョン型パテと比較し、乾燥が遅く、耐湿強度が弱く耐水性がないため、使用できない分野が生じていた。
【発明の開示】
【発明が解決しようとする課題】
【０００３】  従来の粉末パテ（硬化型）の硬化時間を短縮する場合、硬化促進剤を混合して時間を変えていたが、混練り状態で硬化してしまう等、乾燥型パテに於いては、混練り状態での固着しないが、雨の日等湿気の多い日は乾燥が遅く、施工の遅れを招き、耐水性もなく、性能面、作業性に於いても課題がある。【０００４】  本発明は、このような従来の構成を有していた問題を解決しようとるものであり、上塗り材の下地に塗布するだけで、固着促進や耐水性の向上、乾燥も早くする事を目的とするものである。
【課題を解決するための手段】
【０００５】  そして、本発明は上記目的を達成するために、合成樹脂、石膏、セメント等と反応性に富み又下地に良く付着する性質の原料を選定して構成するものである。【０００６】  反応剤の条件として、水分の移行によって反応が進行するので、水によく溶けていなければならない。又、上塗り材の作業性を損わない程度の反応速度、又、下地押さえ吸水性、を考えた接着剤の添加量、種類を制定することが大切であり、反応剤としては、硫酸カリウム、焼きアンモニウム明ばん、アルミナセメント、二水石膏、硫酸ばんど等があり、接着剤としては、エチレン・酢酸ビニル樹脂等がある。
【発明の効果】
【０００７】  上記のように本発明の下塗り用固着促進シ−ラ−は、特に石膏、セメント等の短時間で硬化する材料を使用していない、水と混練りしてからの可使時間の長くとれる、パテ、塗り壁材、塗料等を耐湿性向上、短縮時間で固着させることができ、建築施工の工期短縮を提供できる。
【発明の実施すための最良の形態】
【０００８】  以下、本発明の形態と実施について説明する。
【０００９】  下塗り用固着促進シ−ラ−は、合成樹脂エマルジョン、水溶性樹脂、上塗り材の反応剤、防腐剤、水、等を任意に混合して、多孔質下地（せっこうボ−ド、フレキシル板等）に塗布性の良い固さに調整して製造した。
【００１０】  本発明は、以上のように構成された、下塗り用固着促進シ−ラ−は、以下に記載するような効果を発揮する。
【００１１】  せっこうボード板（約７０×７０×９０ｍｍ）の平滑な面に下塗り用固着促進シ−ラ−を約１００ｇ／ｍ２塗布し、室内に１時間、１日放置乾燥（指に付かない程度）した試験片とシ−ラ−なしの試験片を各２個作成する。
【００１２】  乾燥型粉末パテ材及び硬化型粉末パテ材を、水と混練りしたペ−スト状のパテを下塗り用固着促進シ−ラ−塗布後１時間、１日放置後の試験片と下塗り用固着促進シ−ラ−なしの試験片に、約０．５ｍｍの厚さに塗り付け、１時間後にＪＩＳＡ６９０４に規定する、マルテンス型引っかき硬度計を用いて硬度の試験をした結果、下塗り用固着促進シ−ラ−有りに塗布した、乾燥型、硬化型についても測定値は２対し、下塗り用固着促進シ−ラ−なしに塗布したパテ材は０でした。したがって固着が早いことの確認ができた。
【００１３】  耐水性については、ＪＩＳ  Ｋ５４１０に規定するフレキシブル板（１５０×７０×３ｍｍ）の平滑な面に下塗り用固着促進シ−ラ−を約１００／ｍ３塗り、１時間乾燥後、その上に乾燥型粉末パテ材と硬化型粉末パテ材を約０．５ｍｍ厚になるように塗り、２時間放置乾燥した試験片を用いて、ＪＩＳＫ５６６９合成樹脂エマルジョンパテ５．８の耐水性試験方法に基づいて試験した結果、浸せき時間２４時間後試験片を取り出した直後に塗膜が指につかない事が確認できた。
(57)【要約】【課題】瓦を葺いたとき、瓦の瓦尻と、その上に被さる瓦頭の前垂れとの間より吹き込んだ雨水が水返しを乗り越えて侵入することによる雨洩れを防止することができる平板瓦を提供する。【解決手段】水受けを除く瓦表面の瓦尻側に側縁のえり８から水返し６に至るまで横向きに連続した突条１２を突出形成する。突条１１は瓦１１を葺いたとき棟側の瓦頭が被さらないように、かつ前垂れ７に近接して形成され、瓦尻側はテーパ状をなして雨水が突条１１に溜らないようにする。【選択図】図４
2009127232.tif 000002
【特許請求の範囲】
【請求項１】
一側縁に水受けを形成した平板瓦において、瓦を葺いたとき棟側の瓦頭に被さらず、かつ該瓦頭の前垂れの直前に位置する箇所に水返しより高さの低い横向きの突条を水受けを除く瓦表面のえりから水受けに至るまでの全長に連続して突出形成したことを特徴とする平板瓦。
【請求項２】
突条の瓦尻側はテーパ状に形成されることを特徴とする請求項１記載の平板瓦。
【発明の詳細な説明】
【技術分野】
【０００１】
本発明は、平板瓦に関する。
【背景技術】
【０００２】
図１は、従来のこの種平板瓦１の一例を示すものであり、図２は、この平板瓦１を葺いた屋根の要部の断面を示すもので、瓦１は、瓦頭を軒側に葺かれる瓦１の瓦尻に被せて瓦尻裏面の接合部２を野地板等の下地材３の上面に軒から棟に向かって定間隔で固定された瓦桟木４に引掛け、釘孔５を通して釘を瓦桟木４に打ち付けて固定されている。
【０００３】
瓦１にはまた、瓦尻表面に瓦間より吹き込んだ雨水の侵入を防ぐための水返し６が突設され、瓦頭には、風雨の吹き込みを遮る前垂れ７が形成されている。
【発明の開示】
【発明が解決しようとする課題】
【０００４】
風雨の吹き込み具合によっては、図２の矢印に示すように、瓦１の瓦尻と、その上に被さる瓦頭の前垂れ７との間より吹き込んだ雨水が水返し６を乗り越えて侵入することによる雨洩れを生ずることがある。
【０００５】
本発明は、上記のような現象による雨洩れを生じにくくした平板瓦を提供することを目的とする。
【課題を解決するための手段】
【０００６】
請求項１に係る発明の平板瓦は、一側縁に水受けを形成した平板瓦において、瓦を葺いたとき棟側の瓦頭に被さらず、かつ該瓦頭の前垂れの直前に位置する箇所に水返しより高さの低い横向きの突条を水受けを除く瓦表面のえりから水受けに至るまでの全長に連続して突出形成したことを特徴とし、
請求項２に係る発明は、請求項１に係る平板瓦において、突条の瓦尻側はテーパ状に形成されることを特徴とする。
【発明の効果】
【０００７】
請求項１に係る発明の平板瓦によると、軒側の瓦に沿い、その上に被さる瓦頭の前垂れとの間より吹き込もうとする雨水はどの侵入路においても前垂れの直前に位置する突条に当たって向きを変え、上方に散逸して上記吹き込みを防止し、該吹き込みよる雨洩れを防止することができる。
【０００８】
請求項２に係る発明によると、瓦頭の前垂れを伝い落ちた雨水は突条のテーパ状部に案内されて流れ落ち、突条にとどめられることがない。
【発明を実施するための最良の形態】
【０００９】
以下、本発明の実施形態の平板瓦について図面により説明する。図中、図１及び図２に示す構造と同一構造部分には同一符号を付して、その説明を省略した。
【００１０】
図３は、本発明に係る平板瓦１１について示すものであり、図４は、この平板瓦１１を葺いた屋根の要部の断面を示すもので、水受けを除く瓦表面の瓦尻側に側縁のえり８から水返し６に至るまでの全長に横向きに連続した突条１２が突出形成されている。この突条１２は図４に示すように、瓦１１を葺いたとき棟側の瓦頭が被さらないように、かつ前垂れ７の直前に位置して形成され、瓦尻側はテーパ状をなし、雨水が突条１２に溜まることがなくスムースに流れ落ちることができるようにしてある。
【００１１】
本実施形態の平板瓦１１によると、図４の矢印で示すように瓦表面に沿って下側から吹き込もうとする雨水は、どの侵入路においても前垂れ７の直前に位置する突条１１に当たって向きを変え、上方に散逸して瓦１と前垂れ７との間より吹き込まれるのが防止される。
【図面の簡単な説明】
【００１２】
【図１】従来の平板瓦の斜視図。
【図２】図１に示す平板瓦を葺いた屋根の要部の断面図。
【図３】本発明に係る平板瓦の斜視図。
【図４】図３に示す平板瓦を葺いた屋根の要部の断面図。
【符号の説明】
【００１３】
１、１１・・平板瓦
２・・掛合部
３・・下地材
４・・瓦桟木
５・・釘孔
６・・水返し
７・・前垂れ
８・・えり
１２・・突条
【図１】
2009127232.tif 000003
【図２】
2009127232.tif 000004
【図３】
2009127232.tif 000005
【図４】
2009127232.tif 000006
(57)【要約】      （修正有）【課題】従来の動力エネルギー源、水力、火力、原子力等による、自然破壊、地球資源の消費、放射能の危険、ＣＯ２排出による地球温暖化等、地球環境の破壊や人体への安全に対する悪影響を軽減する。【解決手段】タンク等３および回転体７，８、連結された浮力のある移動体１を設置し、タンク等３内の液体６中を通過する移動体１の浮力を利用して、連結された移動体１を回転させる。連結された移動体１は、回転体７，８と連結され、移動体１と連動して回転体７，８を回転させる。その回転体７，８の回転運動から動力を得る。【選択図】図３
2009127622.tif 000002
【特許請求の範囲】
【請求項１】
タンク等および回転体、連結された浮力のある移動体を設置し、タンク等内の液体中を通過する移動体の浮力を利用して、連結された移動体を回転させる。連結された移動体は、回転体と連結され、移動体と連動して回転体を回転させる浮力式回転設備及び装置。
【発明の詳細な説明】
【技術分野】
【０００１】この発明は、浮力を利用した、浮力式回転設備及び装置である。
【背景技術】
【０００２】従来の動力エネルギー源は、水力、火力、原子力等によるものである。
【発明の開示】
【発明が解決しようとする課題】
【０００３】解決しようとする課題は、従来の動力エネルギー源は、水力、火力、原子力等であり、自然破壊、地球資源の消費、放射能の危険、ＣＯ２排出による地球温暖化等、地球環境の破壊や人体への安全に悪影響をおよぼしている。
そこで、本発明は、浮力式回転設備及び装置を使用して得られた動力エネルギーを利用することにより、これらの問題を解決し、安価で恒久的な動力エネルギーを得ることを課題とする。
【課題を解決するための手段】
【０００４】以上の課題を解決するために、本発明は、タンク等および回転体、連結された浮力のある移動体を設置し、タンク等内の液体中を通過する移動体の浮力を利用して、連結された移動体を回転させる。連結された移動体は、回転体と連結され、移動体と連動して回転体を回転させる、浮力式回転設備及び装置。
【発明の効果】
【０００５】本発明によれば、従来の動力エネルギー源は、水力、火力、原子力等であり、自然破壊、地球資源の消費、放射能の危険、ＣＯ２排出による地球温暖化等、地球環境の破壊や人体への安全に悪影響をおよぼしているが、浮力式回転設備及び装置を使用して得られる動力エネルギーは、これらの問題を解決し、安価で恒久的な動力エネルギーが得られる。
【発明を実施するための最良の形態】
【０００６】  この発明の一実施形態を、図１、図２、図３に示す。
図１  正面断面図
符号１の浮力のある移動体は、設置された符号３のタンク内に満たされた符号６の液体中で浮力が生じ、タンクの上部へと浮上する。移動体は、前後の移動体と符号２の連結体で連結されており、順次、符号５の移動体出口へ押し出されると同時に、符号４の移動体入口からタンク内に引っ張り込まれる。符号５の移動体出口を通過した移動体は、符号７の上部回転体と接触し、上部回転体を回転させる。上部回転体を通過した移動体は、符号８の下部回転体に接触し、下部回転体を回転させる。下部回転体を通過した移動体は、符号４の移動体入口から符号３のタンク内に引き込まれ、符号６の液体中で浮力を受け、タンクの上部へ浮上する。移動体と連動して、符号７の上部回転体および符号８の下部回転体が回転する。この回転体の回転運動を動力として活用するものである。
図２  平面図
この図面は平面図である。
図３  浮力式回転設備及び装置の回転説明図である。【０００７】「実施形態の効果」
この実施形態によれば、動力源が自然界に存在する浮力を利用したもので、自然破壊、地球資源の消費、放射能の危険、ＣＯ２排出による地球温暖化等、地球環境の破壊や人体への安全に悪影響をおよぼしているこれらの問題を解決し、安価で恒久的な動力エネルギーが得られる。【０００８】「他の実施形態」
図１、図２、図３の実施形態では、
符号１の浮力のある移動体の形状は、楕円形としているが、球、円筒形、多角形、帯状等でもよい。
符号２の連結体は、単体となっているが移動体と一体となったものでもよい。
符号３は、タンクとしているが筒状等でもよい。また、垂直となっているが斜角、らせん状でもよい。形状は円、球、多角形および変則的な形でもよいでもよい。
符号４の移動体入口は、タンクの下部側面としているが底面等でもよい。
符号５の移動体出口は、タンクの上部側面としているが天井面等でもよい。
符号７の上部回転体および符号８の下部回転体は、円としているが、多角形および歯車等でもよい。また、回転体は２個としているが、何個有ってもよい。
符号１の移動体、符号２の連結体、符号４の移動体入口、符号５の移動体出口、及び符号７の上部回転体、符号８の下部回転体は、それぞれ１箇所としているが、同一のタンク等に何箇所設置してもよい。
この浮力式回転設備及び装置は、動力を得ることを目的としているが、回転運動を利用した他の目的として利用することができる。
【図面の簡単な説明】
【０００９】
【図１】この発明の一実施形態を示す正面断面図である。
【図２】この発明の一実施形態を示す平面図である。
【図３】この発明の一実施形態を回転説明図である。
【符号の説明】
【００１０】１  移動体    ２  連結体    ３  タンク    ４  移動体入口    ５  移動体出口    ６  液体    ７  上部回転体    ８．下部回転体
【図１】
2009127622.tif 000003
【図２】
2009127622.tif 000004
【図３】
2009127622.tif 000005
(57)【要約】【課題】  本発明は、杭、根元金具、埋込受金具を組み合わせた進入防止用杭で、さらに、切削や彫刻が出来て、溶接道具を用いずに装飾具や金具が取り付けられる、駐車場や居住地の出入口等に設ける、進入防止用杭のキットを提供する。【解決手段】  杭（１）、根元金具（２）、埋込受金具（３）を組み合わせた進入防止用杭で、切削加工可能で、装飾具や金具の取り付けが可能な進入防止用杭のキット。【選択図】図１
2009127416.tif 000002
【特許請求の範囲】
【請求項１】
杭（１）、根元金具（２）、埋込受金具（３）を組み合わせた進入防止用杭で、切削加工可能で、装飾具や金具の取り付けが可能な進入防止用杭のキット。
【発明の詳細な説明】
【技術分野】
【０００１】  本発明は、杭、根元金具、埋込受金具を組み合わせた進入防止用杭で、さらに、切削や彫刻が出来て、溶接道具を用いずに装飾具や金具が取り付けられる、駐車場や居住地の出入口等に設ける、進入防止用杭のキットに関するものである。
【背景技術】
【０００２】  従来、駐車場や居住地の出入口等に設ける杭は、鉄やステンレスやアルミニューム等の金属性の物しかなく、成型後の形状を変えたり、金具や装飾を取り付けることが出来なかった。
【発明の開示】
【発明が解決しようとする課題】
【０００３】  そのために次のような問題があった。
杭を切削し、多角形や円形等の形状に変えたり、彫刻を施す事が出来ないために意匠（デザイン）性が極めて乏しかった。
金属製の場合、塗装しても塗料の浸透性が低く剥がれ易かった。
金属製の場合、金具や装飾を取り付けるには、溶接のための工具や道具が必要であり、一般的には不可能に等しかった。
使用者が必要とする独自の切削や彫刻や装飾や金具や塗装を施す事が出来なかった。
【課題を解決しようとする手段】
【０００４】  杭（１）、根元金具（２）、埋込受金具（３）を組み合わせた進入防止用杭で、切削加工可能で、装飾具や金具の取り付けが可能な進入防止用杭のキット。
【発明の効果】
【０００５】  切削加工が自由に出来るために多くの意匠性を実現出来る。
容易に金具や装飾具を取り付けることが出来る。
金属には無い質感を味わえる。
金属以外の材質を用いることによって軽量化出来るので、杭としての装着も容易で安全である。
使用者が求める独自性の高い杭が作れる。
【発明を実施するための最良の形態】
【０００６】  本発明の実施の形態について説明する。
杭（１）、根元金具（２）、埋込受金具（３）を組み合わせた進入防止用杭で、切削可能な杭と、杭の根元に固定する根元金具と、根元金具を取り付けた杭を立込むための土間コンクリートに埋め込む埋込受金具から成る。
切削加工可能で、金具や装飾具が取り付けられる特徴を持つ。
本発明の実施例について説明する。
（イ）杭（１）の根元に根元金具（２）をネジ（７）で取り付ける。
（ロ）根元金具（２）を取り付けた杭（１）を任意の形状に切削加工する。
（ハ）切削加工した杭（１）に、金具（５）取付け、装飾具（６）を施す。
（ニ）埋込受金具（３）を土間コンクリートに埋め込む。
（ホ）根元金具（２）を取り付けた杭（１）を埋込受金具（３）に嵌め込む。
（ヘ）杭は柱状であれば多角形でも円形でもよい。
（ト）杭は切削加工しないままで使用してもよい。
（チ）杭は金具や装飾具を取り付けずに使用してもよい。
（リ）予め、根元金具を杭に取り付けておいてもよい。
【図面の簡単な説明】
【０００７】
【図１】本発明の斜視図である。
【図２】本発明の切削後の杭に、金具や装飾具を取り付けた一例を示した説明図である。
【符号の説明】
【０００８】    １  杭
２  根元金具
３  埋込受金具
４  ネジ穴
５  金具
６  装飾具
７  ネジ
【図１】
2009127416.tif 000003
【図２】
2009127416.tif 000004
(57)【要約】【課題】    従来、衣類を保管するタンス、収納ボックスは片面専用の引出しか設定されていないため、奥の方や下の方は取り出し難く、かつ新しく洗濯した衣類を補充していくため、混在して衣類の使用頻度にばらつきがあった。【解決手段】    引出しの両面に取手をつけその中に中仕切りを置いて、仮に衣類の取り出し専用スペースと補充専用スペースを設定する。取り出し専用スペースの衣類が無くなったら引出を全部抜き出し、180度回転させて置き換えて差し込む。これを繰り返せば使用頻度が均一になる。【選択図】図1
2009261966.tif 000002
【特許請求の範囲】
【請求項１】
毎日取り替えて使うパンツ、肌着、靴下、ハンカチ、タオル等の衣類を先入先出しできるようにした収納ボックスである。
【請求項２】
収納ボックスの引出は両面に取手をつけて、どちら面からでも出し入れ可能にする。引出の中にL字もしくは逆T字の中仕切りを置き、スライドさせて衣類の取り出し専用スペースと補充専用スペースを調整して使用する。
【請求項３】
取り出し専用スペースは引出の手前に、補充専用スペースは奥に設定する。取り出し専用スペースが無くなったら引出全部を抜き出して、180度向きを変えて差し込む。この所作を繰り返すことで衣類の先入先出しが可能になる。
【発明の詳細な説明】
【技術分野】
【０００１】
本発明は、パンツ、肌着、靴下、ハンカチ、タオル等（以下衣類）を先に入れたものから順に取り出していくようにした収納ボックスである。衣類の使用頻度を均等化するための収納ボックスである。
【技術背景】
【０００２】
現在、タンスや収納ボックスに入れられた衣類は片方からのみの出し入れのため必ずしも先に入れたものから順に取り出して使われているとは限らない。先に補充した衣類と後から補充した衣類が混在してしまいがちである。
【０００３】
この改善策として、両方向から引き出し可能な引出の中にL字もしくは逆T字の仕切りをセットし、衣類を取り出すスペースと衣類の補充スペースを区分することで先入先出しを簡単にする。
【発明の開示】
【発明が解決しようとする課題】
【０００４】
解決しようとする課題は、収納ボックスに日常的に出し入れする衣類を先に入れたものから順にいかにして簡単に取り出して使っていくことができるか、いかにして均等に使用できるかである。収納ボックスの中の衣類の先入先出しについてである。
【課題を解決するための手段】
【０００５】
本発明は、収納ボックスの引出の中に中仕切りを置いて、衣類を取出していくスペースと衣類を補充していくスペースを区別することである。衣類を補充するとき、補充した衣類分、中仕切りをスライドさせていく。そして、取り出しスペースに衣類が無くなったら、引出を収納ボックスから全部抜き出し、180度回転させて衣類を補充しておいたスペースを取り出スペースと置き換える。それを繰り返していけば、衣類の先入先出しがおこなわれ、均等に使われる。
【発明の効果】
【０００６】
本発明は、収納ボックスの隅の方に取りだされることのない衣類をつくることが無くなる。
【発明を実施するための最良の形態】
【０００７】
収納ボックスの引出の出し入れを両面方向からできるように、引出の口部分に引掛りのない形態にする。取手は埋め込み式にして引出の奥行は本体奥行寸法から本体奥の壁の厚みを差し引いた寸法に設定すると面が合う。        
【実施例１】
【０００８】
図1は、先入先出し収納ボックスの引出に中仕切りを置いているところである。
【実施例２】
【０００９】
図2は、中仕切りを抜き出したところである。
【産業上の利用可能性】
【００１０】
本発明は子供専用の衣類収納ボックスに最適である。
【図面の簡単な説明】
【００１１】
【図１】収納ボックスに中仕切りを置いているところで、例えば左側を取り出し専用スペース、右側を補充専用スペース（実施例１）
【図２】中仕切りの形体（実施例2）
【符号の説明】
【００１２】
1．中仕切り
2．引出
3．中仕切りのスライド方向
4．180度回転
5．取手
6．衣類取り出しスペース
7．衣類補充スペース
8．スライド後の中仕切り
9．L字中仕切り
10．逆T字中仕切り
【図１】
2009261966.tif 000003
【図２】
2009261966.tif 000004
(57)【要約】【課題】肌質の改善，髪質の改善，又は爪の硬化とツヤの改善等に十分に効果のある、美容効果を有する新しい健康食品を提供すること。【解決手段】美容効果を有する健康食品が、メチルスルフォニルメタン（Methyl Sulfonyl Methane）と、Ｌ−システインと、ビタミンCとを含有すること。前記美容効果が、肌質の改善，髪質の改善，又は爪の硬化とツヤの改善であること。メチルスルフォニルメタンと、Ｌ−システインと、ビタミンCとを含み、各種賦形剤等の添加剤を加えることで、カプセル状・錠剤・液体状など公知の様々な形態をとることができる。【選択図】なし【特許請求の範囲】
【請求項１】
メチルスルフォニルメタン（ＭＳＭ）と、Ｌ−システインと、ビタミンCとを含有することを特徴とする美容効果を有する健康食品。
【請求項２】
前記美容効果が、肌質の改善，髪質の改善，又は爪の硬化とツヤの改善であることを特徴とする請求項１に記載の美容効果を有する健康食品
【発明の詳細な説明】
【技術分野】
【０００１】
本発明は、美容効果を有する健康食品に関する。
【背景技術】
【０００２】
近年、美容に関する需用者の欲求は高まる一方であり、特に肌質の改善，髪質の改善，又は爪の硬化とツヤの改善に対する欲求は極めて高いものとなっている。
【０００３】
このことから、様々な化粧品等（例えば、特許文献１参照。）が販売されているが、肌のハリやツヤなど肌質の改善，髪質の改善，又は爪の硬化とツヤの改善等は栄養や代謝など体内的な要因が大きく左右するため、液状やクリーム等の外用剤では効果が薄い。
【０００４】
したがって、肌質の改善，髪質の改善，又は爪の硬化とツヤの改善等の美容効果を奏するためには、経口による摂取が望ましい。そのため、健康食品としても様々な美容効果を考慮したものが販売されているが、需用者の観点からする肌質の改善，髪質の改善，又は爪の硬化とツヤの改善等に十分な効果又は効果の顕著なものは未だ見受けられないという現状がある。
【特許文献１】特開2004-035454 号公報
【発明の開示】
【発明が解決しようとする課題】
【０００５】
そこで、本発明の目的は、肌質の改善，髪質の改善，又は爪の硬化とツヤの改善等に十分に効果のある、美容効果を有する新しい健康食品を提供することを目的とする。
【課題を解決するための手段】
【０００６】
前記目的を達成するため、本発明の美容効果を有する健康食品は、メチルスルフォニルメタン（Methyl Sulfonyl Methane，以下ＭＳＭという）と、Ｌ−システインと、ビタミンCとを含有することからなる。また、前記美容効果が、肌質の改善，髪質の改善，又は爪の硬化とツヤの改善であることが好適である。
【０００７】
本発明者等は、鋭意研究の結果、これまでに関節の痛みや炎症の緩和に利用されているＭＳＭが、経口の投与により肌質の改善，髪質の改善，又は爪の硬化とツヤの改善等の美容効果を有することを発見した。
【０００８】
そして、さらなる研究の結果、ＭＳＭと、Ｌ−システインと、ビタミンＣとを同時に摂取することにより、肌質の改善，髪質の改善，又は爪の硬化とツヤの改善等の効果が顕著に達成されることを発見し、本発明を完成させたものである。
【０００９】
ＭＳＭは、以下の構造式で表される、有機イオウ化合物であり、牛乳やトマトなど、天然に産出される化合物である。
2009261269.tif 000002
【００１０】
そしてＭＳＭは、米国において数年前から関節の痛みや炎症の緩和に役立つものとして販売されているものであり、経口による体内投与の安全性が立証されている。しかしがら、美容効果を奏することについての論文等は発表されていなかった。
【００１１】
また、Ｌ−システインは、分子構造中にSH基を持つアミノ酸の一種で、毛髪・皮膚・爪を形成する成分であり、体内に広く分布しているものである。L-システインは、ビタミンCと協働してメラニンの形成を抑制することで、しみ・そばかすを予防することが出来るものである。
【００１２】
イオウは、メチオニンやシステインなどの含流アミノ酸ができるのに必須の成分であり、爪や皮膚に大切なコラーゲンやケラチンなどのタンパク質の元になってることから、ＭＳＭと、Ｌ−システインと、ビタミンCの組み合わせにより、特に肌質の改善，髪質の改善，又は爪の硬化とツヤの改善について高い美容効果が発揮されるものである。
【発明を実施するための最良の形態】
【００１３】
本発明は、ＭＳＭと、Ｌ−システインと、ビタミンCとを含み、各種賦形剤等の添加剤を加えることで、カプセル状・錠剤・液体状など公知の様々な形態をとることができる。
その好ましい実施形態として、カプセル状の配合例を以下に示す。なお、MSMはパウダー状のMSMで、株式会社CICフロンティアが販売しているものを利用した。L-システイン及びビタミンＣについても、パウダー状で一般に入手可能なものを利用した。
【００１４】
配合例  カプセル錠(350mg)組成 （比率は重量比）
MSMパウダー    175mg(50%)
L-システイン      95.2mg(27.2%)
ビタミンＣ        59.85mg(17.1%))
還元麦芽糖（賦形剤）        9.45mg(2.7%)
ショ糖エステル（賦形剤）    10.5mg(3.0%)
【００１５】
本発明につき、実験例を以下に示す。
上記の配合例にて作成したカプセルを、２５人（内男性４人）に、１日４〜８カプセルで２８日間摂取させた。その内訳は、１日４カプセル摂取が１３人（内男性３人）、１日６カプセル摂取が６人（内男性１人）、１日８カプセル摂取が６人（内男性０人）である。
その結果、全ての者が、摂取前に比べ肌のハリ・キメ・ツヤなど肌質の改善，髪質の改善，爪の硬化とツヤの改善があったと答えた。